(57)【要約】【課題】アイロンがけ時に、誤って作られてしまうかけじわを減少させて、仕上がりの向上を図るとともに、スチーム穴の手入れの容易なアイロンを提供する。【解決手段】掛け面３を有し、ヒーター２によって加熱されるベース１と、掛け面３を有し、前記ベース１の前記掛け面３側に配設された蓋体５と、後方を開放した握り部９を有した把手８とを有するアイロン本体を具備し、前記ベース１の前記掛け面３を少なくとも前後方向において下方に凸形状に形成するとともに、前記凸形状の頂部を、前記蓋体５を外れた前記ベース１上に位置させた。【選択図】  図１
2004357842.tif 000002
【特許請求の範囲】
【請求項１】
掛け面を有し、ヒーターによって加熱されるベースと、掛け面を有し、前記ベースの前記掛け面側に配設された蓋体と、握り部を有した把手とを有するアイロン本体を具備し、前記ベースの前記掛け面を少なくとも前後方向において下方に凸形状に形成するとともに、前記凸形状の頂部を、前記蓋体を外れた前記ベース上に位置させたアイロン。
【請求項２】
アイロン本体の重心は、蓋体より前後方向中央寄りに位置させた請求項１記載のアイロン。
【請求項３】
握り部の中央は、蓋体より前後方向中央寄りに位置させた請求項１記載のアイロン。
【請求項４】
蓋体の掛け面を少なくとも前後方向において下方に凸形状に形成した請求項１〜３のいずれか１項記載のアイロン。
【請求項５】
蓋体の掛け面の凸形状を、ベースの掛け面の凸形状となめらかに連続する形状とした請求項４記載のアイロン。
【請求項６】
蓋体の掛け面は、ベースの掛け面より窪ませて形成した請求項１〜４のいずれか１項記載のアイロン。
【請求項７】
握り部は、前方または後方を開放した請求項１〜６のいずれか１項記載のアイロン。
【発明の詳細な説明】
【０００１】
【発明の属する技術分野】
本発明は衣類等のしわ伸ばしを行うアイロンに関するものである。
【０００２】
【従来の技術】
従来、この種のアイロンは、ヒーターを有するベースに掛け面を形成し、このベースの掛け面の一部を窪ませ、ここにベースとは別体のスチーム穴を有する蓋体をねじ止めし、ベースの上方には握り部を有した把手を設けたもので、掛け面は平面形状で構成されていた（例えば、特許文献１参照）。
【０００３】
【特許文献１】
実公昭４４−３２７９号公報（第１図）
【０００４】
【発明が解決しようとする課題】
このような従来の構成では、衣類等のアイロンがけを行い、しわ伸ばしを行う際に、アイロンをアイロンテーブル上に置いて使用するが、アイロンテーブルのクッション性及び衣類の厚みにより、掛け面が若干下方に沈んだ状態でアイロンがけを行うことになる。
【０００５】
ベースの掛け面の一部を窪ませ、ここにベースとは別体のスチーム穴を有する蓋体をネジ止めしているので、スチーム穴や気化室内部が水垢等で汚れた場合に、この蓋体を取りはずして清掃できるという利点がある反面、アイロンがけに際しては、ベースと蓋体の境界部のそれぞれの端面が衣類に引っ掛かり、使い勝手が悪いのみならず、余分なしわを作ってしまうことにもなっていた。
【０００６】
さらに、掛け面が平面形状であることも相俟って、この点は、従来のアイロンの大きな課題となっていた。
【０００７】
また、掛け面が平面形状の場合は、本質的に内在する問題点として、掛け面が衣類に若干沈みこんだ際に、掛け面と衣類とに段差が生じ、アイロンが衣類の上を移動する時に掛け面の外周部が衣類等に引っ掛かり、アイロンがけでしわを伸ばしているにもかかわらず、余分なしわを作ってしまうという課題もあった。
【０００８】
また、小型化されたアイロンの場合、握り部がおのずと小さくなり、手のひらの大きな人の場合、ボタンなどの操作をする場合に握りなおす必要があるなど、操作性が良くないという課題もあった。
【０００９】
本発明は上記課題を解決するもので、水垢等の清掃が容易で、かつ、アイロンがけを行う際に、余分なしわを作ってしまうという失敗を低減し、仕上がりを向上させるとともに、アイロンの使い勝手を向上させることを目的としている。
【００１０】
【課題を解決するための手段】
本発明は上記目的を達成するために、掛け面を有し、ヒーターによって加熱されるベースと、掛け面を有し、前記ベースの前記掛け面側に配設された蓋体と、握り部を有した把手とを有するアイロン本体を具備し、前記ベースの前記掛け面を少なくとも前後方向において下方に凸形状に形成するとともに、前記凸形状の頂部を、前記蓋体を外れた前記ベース上に位置させたものである。
【００１１】
これにより、アイロンがけをする際、掛け面を少なくとも前後方向において下方に凸形状に形成したアイロンにおいて、把手よりの力が一番伝わる、掛け面の凸形状の頂部を、前期蓋体を外れた前期ベースの上に位置させているので、蓋の位置に不要に力がかからず、アイロンがけ時に不要なしわがよらず、かつ、蓋体を取りはずせばスチーム穴および気化室内部の清掃が容易はアイロンを提供できる。
【００１２】
【発明の実施の形態】
本発明の請求項１に記載の発明は、掛け面を有し、ヒーターによって加熱されるベースと、掛け面を有し、前記ベースの前記掛け面側に配設された蓋体と、握り部を有した把手とを有するアイロン本体を具備し、前記ベースの前記掛け面を少なくとも前後方向において下方に凸形状に形成するとともに、前記凸形状の頂部を、前記蓋体を外れた前記ベース上に位置させたことで、スチーム穴の手入れが容易であると共に、アイロンがけを行うときに力のかかりやすいベース面凸部形状の頂部を、蓋体を外れた位置にさせたので、アイロンがけを行っている衣類に蓋体が引っかからず、誤ってしわを作ることがなくなる。
【００１３】
請求項２に記載の発明は、前記請求項１記載の発明において、アイロン本体の重心は、蓋体より前後方向中央寄りに位置させたことで、アイロン掛け時に力のかかる、アイロン本体の重心位置の近傍に掛け面の頂部があるため、通常のアイロンがけにおいては、アイロンが傾かず、蓋体が衣類に引っ掛かることなく、誤ってしわを作ることがなくなるとともに、よりベース面の頂部に力がかかりやすくなり、よりスムーズなアイロン掛けが可能となる。
【００１４】
請求項３に記載の発明は、請求項１記載の発明において、握り部の中央は、蓋体より前後方向中央寄りに位置させたことで、アイロンがけをする際、一般的に把手の握り部の握る位置は、アイロン本体の重心位置近傍であり、その力の作用線上に掛け面の頂部があるため、通常のアイロンがけにおいては、アイロンが傾かず、蓋体に衣類に引っ掛かることなく、誤ってしわを作ることがなくなるとともに、より一層、ベース面の頂部に力がかかりやすくなり、さらにアイロンがけを行っている衣類に蓋体が引っかからず、誤ってしわを作ることがなくなる。
【００１５】
請求項４に記載の発明は、請求項１〜３のいずれか１項記載の発明において、蓋体の掛け面を少なくとも前後方向において下方に凸形状に形成したことで、蓋体に衣類が接触する場合でも、面的に力が加わることもなく、また、蓋体の端部に力が加わることもないので、衣類を引っ張り誤ってしわを作ることがさらに減少する。
【００１６】
請求項５に記載の発明は、請求項４記載の発明において、蓋体の掛け面の凸形状を、ベースの掛け面の凸形状となめらかに連続する形状としたことで、アイロンがけ中に、掛け面がアイロンテーブルに沈み込んだ場合でも、蓋体が衣類に引っ掛かることなくスムーズなアイロンがけが可能となる。
【００１７】
請求項６に記載の発明は、請求項１〜４いずれか１項に記載の発明において、蓋体の掛け面は、ベースの掛け面より窪ませて形成したことで、蓋体で衣類を引っ掛けて不要なしわをつけることはなくなる。
【００１８】
請求項７に記載の発明は、請求項１〜６いずれか１項に記載の発明において、握り部を前方または後方を開放したことで、小型のアイロンにおいても、握りやすくアイロン掛けの作業が行いやすく、よりスムーズなアイロン掛けが可能となるとともに、握り部の開放側の先端部を握ってアイロン掛けを行った場合でも、蓋体が衣類に引っ掛かることなく、誤ってしわを作ることがない。
【００１９】
【実施例】
以下、本発明の実施例について、図面を参照しながら説明する。
【００２０】
（実施例１）
図１は本発明の第１の実施例のアイロンの要部断面図、図２は同アイロンの要部縦断面図、図３は同アイロンの使用状態における側面図である。
【００２１】
図１から図３において、１はヒーター２を埋設したベース、３はベース１の下面に形成した掛け面、４はベース１に設けられたスチーム穴、５はスチーム穴４からのスチームを分散噴出する複数個の穴６を持つ蓋体である。蓋体５は、ベース３にネジ７でネジ止めされ、取り外し可能である。８は掛け面３上方に設けた握り部９を有する把手で、握り部９の後方は開放された形状としてある。１０はタンクで、ベース１に設けられた気化室１１に供給され、スチームを発生させるための水を蓄える。
【００２２】
また、ベース１の掛け面３は、前後方向、左右方向いずれの方向にも下方に凸形状かつ略球面形状に形成してある。
【００２３】
そして、蓋体５は、この凸状に形成されたベース１掛け面１２の頂部１２を外れた前方に位置させている。
【００２４】
１３はアイロン本体の重心で、蓋体５より前後方向中央寄りに位置させている。
【００２５】
また、把手８の握り部９の中央１４も、蓋体５の前後方向中央寄りに位置させてあり、凸形状の頂部１２とアイロン本体の重心１３近傍直上に配置してある。
【００２６】
また、蓋体５は、このベース１の略球面形上に形成した凸形状になめらかに連続するように形成されている。
【００２７】
上記構成において動作を説明すると、アイロンがけをする場合に、使用者は、ヒーター２によりベース１が熱せられ、掛け面３が熱くなった状態でアイロンがけを開始する。使用者は衣類１５をアイロンテーブル１６上において、掛け面３を衣類１５の上に置いて、衣類１５の上を滑らせることでしわ伸ばしを行う。
【００２８】
ベース１の掛け面３を下方に凸形状かつ略球面形状に形成し、蓋体５は凸形状に形成されたベース１の掛け面３の頂部１２を離れた前方に位置されるとともに、アイロン本体の重心１３は蓋体５より前後方向において中央寄りに位置させ、握り部９の中央１４も蓋体５の前後方向において中央寄りに位置させているので、アイロン本体の重力が作用する点は、掛け面３のほぼ頂部１２付近となる。
【００２９】
また、握り部９を握って下方に力を加えた場合にも、掛け面３の頂部１２は加えた力の作用線上にあることになるので、掛け面３の頂部１２付近に集中的に力が加わり、衣類１５にアイロンがけが行われる。
【００３０】
アイロンがけをする際、一般的に把手４の握り部５の握る位置は、アイロン本体７の中央すなわち重心１３近傍になり、アイロン本体７の重量に基づく力の作用線上付近に掛け面３の頂部１２があるために、通常のアイロンがけにおいてはアイロン本体は傾かず、掛け面３の前後の外周部１７が衣類に引っ掛かることなく、誤ってしわを作ることがなくなる。
【００３１】
また、掛け面３の頂部１２付近は加えた力の作用線上付近にあり、アイロン本体が不要に傾くことなく、水平を保ったままとなる。そのため、掛け面３の頂部１２付近は衣類１５に沈み込んだ状態となり、力が加わっている箇所では、より強い圧力を衣類１５に加えることが可能となり、仕上がりの向上が図れる。
【００３２】
この際に、掛け面３の凸形状の頂部１２を外れた位置に蓋体５を配置しているので、衣類１５の蓋体５の位置に対応する部分には力が加わる事がないので、衣類が引っかかってしわを作ることはない。
【００３３】
また、スチームを長期にわたり使用して、スチーム穴６が水垢などで詰って、スチームの噴出が悪化した場合には、ネジ７を緩めて蓋体５をベース１から取り外し、手入れをすることにより、容易にスチーム穴の水垢が取れて、スチームの噴出性能を回復することができる。
【００３４】
また、握り部９の後方は開放されているので、手の大きな作業者においても窮屈にならずに握ることが可能である上に、アイロンがけ時に力をかける点の調整も容易となる。また、握り部９の後方が開放されているので、大きな手の人は、握り部９後方に力がかかりやすく、掛け面３の前方が浮くこととなるが、掛け面３が凸形状かつ略球面形状となっており、かつ、蓋体５がベース１の掛け面３の頂部１２より前方に配置されているため、蓋体５に力がかかることなく、蓋体５に衣類がひっかかり誤ってしわをつけることがない。
【００３５】
また、たとえ握り部９にかかる力のバランスが崩れ、前方に力がかかり、衣類１５が掛け面３の蓋体５付近に最大に力がかかった場合でも、蓋体５の掛け面１８はベース１の掛け面３となめらかに連続する凸形状に形成されているので、蓋体５での衣類の引っ掛かりなどなく、スムーズにアイロンがけを行うことができる。
【００３６】
また、図４に示すように、蓋体５の掛け面１８をベース１の掛け面３より窪ませて形成すれば、蓋体５の掛け面１８は平面形状であっても、ベース１の掛け面３となめらかに連続する凸形状に形成されているものと同様に、蓋体５での衣類の引っ掛りがないようにすることができ、より安価な構成で同様の効果を得ることができる。
【００３７】
また、図５に示すように、蓋体５をリング形状として、その中心をベース１の掛け面３の頂部１２とほぼ一致させた位置に配置した構成でも、上に説明した図２に示す構造の場合と同様の効果が得られる。
【００３８】
なお、本実施例においては、ベース１の掛け面３を下方に凸形状かつ略球面形状としたが、左右方向は平面で、前後方向のみ凸形状かつ略円弧状にすることも考えられ、この場合、掛け面３の前後方向での外周部１７の衣類への引っ掛かりを減少できるとともに、掛け面３の左右方向への傾きを安定させることができるので、アイロンがけ動作において前後に動かす場合には、しわを減少することができるだけでなく、かつ安定したアイロンがけが可能になるという利点もある。
【００３９】
【発明の効果】
本発明の請求項１に記載の発明によれば、掛け面を有し、ヒーターによって加熱されるベースと、掛け面を有し、前記ベースの前記掛け面側に配設された蓋体と、握り部を有した把手とを有するアイロン本体を具備し、前記ベースの前記掛け面を少なくとも前後方向において下方に凸形状に形成するとともに、前記凸形状の頂部を、前記蓋体を外れた前記ベース上に位置させたことで、スチーム穴の手入れが容易であると共に、アイロンがけを行うときに力のかかりやすいベース面凸部形状の頂部を、蓋体を外れた位置にさせたので、容易にアイロンがけを行っている衣類に蓋体が引っかからず、誤ってしわを作ることがなくなる。
【００４０】
また、請求項２に記載の発明によれば、アイロン本体の重心は、蓋体より前後方向中央寄りに位置させたことで、アイロン掛け時に力のかかる、アイロン本体の重心位置の近傍に掛け面の頂部があるため、通常のアイロンがけにおいては、アイロンが傾かず、蓋体に衣類に引っ掛かることなく、誤ってしわを作ることがなくなるとともに、よりベース面の頂部に力がかかりやすくなり、よりスムーズなアイロン掛けが可能となる。
【００４１】
また、請求項３に記載の発明によれば、握り部の中央は、蓋体より前後方向中央寄りに位置させたことで、アイロンがけをする際、一般的に把手の握り部の握る位置は、アイロン本体の重心位置近傍であり、その力の作用線上に掛け面の頂部があるため、通常のアイロンがけにおいては、アイロンが傾かず、蓋体に衣類に引っ掛かることなく、誤ってしわを作ることがなくなるとともに、より一層、ベース面の頂部に力がかかりやすくなり、さらに容易にアイロンがけを行っている衣類に蓋体が引っかからず、誤ってしわを作ることがなくなる。
【００４２】
また、請求項４に記載の発明によれば、蓋体の掛け面を少なくとも前後方向において下方に凸形状に形成したことで、蓋体に衣類が接触する場合でも、面的に力が加わる事もなく、衣類を引っ張り誤ってしわを作ることがさらに減少する。
【００４３】
また、請求項５に記載の発明によれば、蓋体の掛け面の凸形状を、ベースの掛け面の凸形状となめらかに連続する形状としたことで、アイロンがけ中に、掛け面がアイロンテーブルに沈み込んだ場合でも、蓋体が衣類に引っ掛かることなくスムーズなアイロンがけが可能となる。
【００４４】
また、請求項６に記載の発明によれば、蓋体の掛け面は、ベースの掛け面より窪ませて形成したことで、蓋体で衣類を引っ掛けて不要なしわをつけることはなくなる。
【００４５】
そして、請求項７に記載の発明によれば、握り部を前方または後方を開放したことで、小型のアイロンにおいても、握りやすくアイロン掛けの作業が行いやすく、よりスムーズなアイロン掛けが可能となるとともに、握り部の開放側の先端部を握ってアイロン掛けを行った場合でも、蓋体が衣類に引っ掛かることなく、誤ってしわを作ることがない。
【図面の簡単な説明】
【図１】本発明の実施例１におけるアイロンの要部断面図
【図２】同アイロンの底面図
【図３】同アイロンの使用状態における側面図
【図４】本発明の他の実施例におけるアイロンの要部断面図
【図５】本発明の他の実施例におけるアイロンの底面図
【符号の説明】
１  ベース
２  ヒーター
３  掛け面
５  蓋体
８  把手
９  握り部
１２  頂部
１３  重心
１４  握り部の中央
１８  蓋体の掛け面
【図１】
2004357842.tif 000003
【図２】
2004357842.tif 000004
【図３】
2004357842.tif 000005
【図４】
2004357842.tif 000006
【図５】
2004357842.tif 000007